(57)【特許請求の範囲】
【請求項１】
可変容量手段により共振周波数が制御され、受信電波の波長に比べて寸法が１／１０以下である内蔵型のチューナブルアンテナと、
前記チューナブルアンテナからの受信信号を復調し、受信するべき周波数帯域の受信感度にのみ関係した制御信号である受信感度信号を出力できる機能を有したチューナーと、
該受信感度信号を処理して前記可変容量手段を制御する制御回路とから構成されており、
該制御回路は、受信感度が最適となるように、受信する周波数帯域と前記可変容量手段の制御電圧との関係を規定した表を用いることなく、可変容量手段を自動制御することを特徴とした周波数自動補正機能付きチューナブル受信装置。
【請求項２】
請求項１の受信装置であって、受信感度の増減に応じて、該チューナーから出力される受信感度信号を単調に増加、又は減少させて受信感度が大きくなるように制御することを特徴とする周波数自動補正機能付きチューナブル受信装置。
【請求項３】
請求項１及び２のいずれかの受信装置であって、該受信感度信号を処理して可変容量手段を制御する制御回路が、直流の制御電圧出力を少なくとも１つ以上備えており、この制御電圧によって可変容量手段を制御することを特徴とする周波数自動補正機能付きチューナブル受信装置。
【請求項４】
請求項１，２及び３のいずれかの受信装置であって、該可変容量手段を制御する制御回路には、チューナーが出力する受信感度信号を処理する手順だけが埋め込まれていることを特徴とする周波数自動補正機能付きチューナブル受信装置。
【請求項５】
請求項３及び４のいずれかの受信装置であって、該受信感度信号を処理して可変容量手段を制御する制御回路が、ＰＷＭ（Pulse Width Modulation）回路を有するマイクロコントローラと、抵抗素子と容量素子を含む平滑回路から構成されており、マイクロコントローラがＰＷＭ出力のパルス幅を制御し、このＰＷＭ出力によって、可変容量手段を制御することを特徴とする周波数自動補正機能付きチューナブル受信装置。
【請求項６】
請求項３及び４のいずれかの受信装置であって、該受信感度信号を処理して可変容量手段を制御する制御回路が、Ａ／Ｄ（Analog/Digital）コンバータを有するマイクロコントローラであって、マイクロコントローラがＡ／Ｄコンバータで読み込んだ受信感度を処理することで、可変容量手段を制御することを特徴とする周波数自動補正機能付きチューナブル受信装置。
【請求項７】
請求項５及び６のいずれかの受信装置であって、該マイクロコントローラはメモリを有し、受信感度信号を監視して、受信感度がある一定値以下に低下したとき、可変容量手段を制御する制御電圧を逐次変化させ、受信感度が最大となる制御電圧を一時記憶し、逐次変化が終了した後、受信感度が最大となる制御電圧に自動設定する機能を備えていることを特徴とする周波数自動補正機能付きチューナブル受信装置。
【請求項８】
請求項５，６及び７のいずれかの受信装置であって、該マイクロコントローラには、可変容量手段を制御する制御電圧を逐次変化させ、制御電圧の逐次変化に対して、受信感度が増加するときに制御電圧の逐次変化を同じ方向で継続させ、受信感度が減少するときに、制御電圧の逐次変化の方向を反転させ、該方向の反転を繰返すことで、受信感度が最大となる制御電圧に自動設定する機能を備えていることを特徴とする周波数自動補正機能付きチューナブル受信装置。
【請求項９】
請求項８の受信装置であって、該マイクロコントローラには、受信感度に関係した制御信号を監視して、受信感度がある一定値以下に低下したとき、可変容量手段を制御する制御電圧の逐次変化させる変化量を大きくし、受信感度の増加に応じて、制御電圧の逐次変化させる変化量を小さくしていき、該変化量の大小を繰返すことで、受信感度が最大となる制御電圧に高速に自動設定する機能を備えていることを特徴とする周波数自動補正機能付きチューナブル受信装置。
【請求項１０】
請求項８及び９のいずれかの受信装置であって、該マイクロコントローラには、受信感度信号を監視して、受信感度を取得した回数の内、受信感度がある一定値以下に低下した回数が何回あるかを計測し、ある一定回数以上に受信感度が低下した結果が得られた場合にのみ、感度可変容量手段を制御する制御電圧の逐次変化させる変化量を大きくすることを特徴とする周波数自動補正機能付きチューナブル受信装置。
【発明の詳細な説明】
【技術分野】
【０００１】
本発明は、携帯電話、ＰＤＡ、ノートパソコン、ゲーム機などの携帯無線端末や無線装置に内蔵されるアンテナモジュール、及び同アンテナモジュールを搭載する受信装置に関する。特に本発明はデジタル放送用受信装置において、受信周波数チャネルによって、アンテナ周波数特性を可変することを特徴とするアンテナモジュール、及び同アンテナモジュールを搭載する受信装置に関する。
【背景技術】
【０００２】
地上波アナログ放送や地上波デジタル放送など、携帯電話と比較して低い周波数の電波を受信する無線システムに適用する従来技術のアンテナとして、モノポールアンテナを使用することが特許文献１に提案されている。
【０００３】
このようなアンテナは帯域が広くシステムが用いる周波数の全帯域に対応可能であるが、このアンテナが受信すべき電波の波長は、例えば日本の地上波デジタルテレビジョン放送の場合は、６４cmであり、最大で約２０cmの寸法を持つ現行の携帯電話やＰＤＡ、受信装置などの携帯端末への内蔵は困難であるという問題がある。
【０００４】
現在、携帯無線端末の高機能化が進んでおり、たとえば携帯電話においては電話機能に加えて、今後はテレビジョン放送、ラジオ放送などの受信機能が複合されて実装されていくことが考えられる。これら放送システムは各々異なる周波数帯が割り当てられており、これら帯域を周波数分割したチャネルを使用している。たとえば、日本の地上波デジタルテレビジョン放送には４７０ＭＨｚから７７０ＭＨｚのＵＨＦ帯の広い周波数帯域が割り当てられており、この帯域内を６ＭＨｚ間隔に分割した帯域が各放送局に割り当てられテレビジョン放送の視聴のためには視聴者は所望の周波数を選局することが必要となる。
【０００５】
各無線システムが使用する広い周波数帯域のすべてを一つのアンテナで受信することは妨害波抑圧の観点から避けることが望ましく、また、寸法が適応すべき電磁波の波長より十分に小さい（１／１０以下）アンテナでは、アンテナ感度の観点からも受信周波数帯域は狭くした方が性能向上の期待ができる。前者の理由により、テレビジョンシステムにとっては妨害波となる他の無線システムの信号を受信することを防ぐため、視聴を所望する周波数チャネル以外の不要な周波数チャネルはアンテナの後段に設けられるトラッキングフィルタ回路などによって除去される仕組みが設けられていることもある。
【０００６】
また、一方で、携帯無線端末は携帯性向上の観点から小型化が要求されているため、各アンテナに対しても小型化が求められる。このような背景の中、同調形アンテナのインピーダンス整合中心周波数を通話周波数に合わせて制御することを特徴とした、所謂同調形アンテナを用いた無線端末が特許文献２に記載されている。
【０００７】
【特許文献１】特開２００１−２５１１３１号公報
【特許文献２】特開２００３−２９８３４１号公報
【発明の開示】
【発明が解決しようとする課題】
【０００８】
このような受信電波の波長に比べて寸法の十分に小さいこのような同調形アンテナを用いて、アンテナを内蔵化した場合、ロッドアンテナ等の外部アンテナに比べて、該アンテナは非常にＱが高くなっている。このために携帯電話などの機器に内蔵した場合、アンテナを内蔵した部分に手が近づくだけで数ＭＨｚ程、共振周波数が変化してしまう。非常にＱが高いアンテナは帯域が狭い上に該アンテナ周辺に蓄積される無効電力が大きいために、該アンテナの近傍に手が近づくことで僅かに共振周波数が変わってしまい、本来受信したい周波数の受信特性が劣化してしまうことが考えられる。
【０００９】
また、同調形のアンテナではその構成要素に可変容量手段を含むので、大量生産時においては、同可変容量手段（可変容量ダイオード）等の同調型アンテナを構成する各部品の特性値がばらついてしまうことが避けられない。従って、安価な性能のばらつきの大きい部品で受信装置を大量生産した場合、受信する周波数が、どの受信装置でも一定値とすることが困難であって、受信装置の歩留まりを悪くすることが考えられる。
【００１０】
本発明の目的は、Ｑが高く狭帯域で感度の高いアンテナの共振周波数を自動制御することで、地上波アナログ放送や地上波デジタル放送などのシステムの使用する全帯域における電波が受信可能となり、且つ携帯電話やＰＤＡなどの携帯無線端末に内蔵可能となる小型アンテナを含めた受信回路を提供することにある。さらに、そのとき、筐体に手が触れて受信特性が劣化してしまったり、また各構成部品のバラツキで製品歩留まりが悪くなってしまったりすることなく、携帯端末に求められる小型アンテナを含む受信回路を提供することにある。
【課題を解決するための手段】
【００１１】
上記課題を解決するために、本発明では、可変容量手段により共振周波数が制御される同調形アンテナに加えて、受信感度に関係した制御信号を出力できる機能を有したチューナーを用意し、受信感度信号を処理して可変容量手段を制御する制御回路を用いて、この制御回路によって受信感度が最適となるよう可変容量手段が自動制御されることを特徴としている。
【００１２】
このとき、チューナーが出力する受信感度信号は、受信装置の外部で選択した受信するべき周波数帯域（受信チャンネル）の信号の受信感度にのみ関係しており、選択していない周波数帯域の信号の受信感度には関係していないことを特徴とする。例えば、１４ｃｈを受信している時、隣接する１３ｃｈや１５ｃｈの信号もチューナーには入力される可能性があるが、本発明によれば、受信感度信号は、１４ｃｈの受信信号だけを処理して受信感度信号を出力する。これは、チューナー内で周波数選択をした後での信号処理を用いることにより実現できる。こうすることで、所望の受信チャンネルに対してだけ、チューナブルアンテナの感度最適化がされる。また、チューナーの選局動作と同時にチューナブルアンテナの共振周波数も制御されることになる。同受信感度信号は、受信感度に対して単調増加、または単調減少する特性を持つと制御アルゴリズムが簡単で良い。つまり、同受信感度信号を単調に増加させたときに受信感度が大きくなる場合は、そのまま同受信感度信号を単調に増加させ、受信感度が小さくなる場合は、同受信感度信号を単調に減少させることによって、受信感度が大きくなるように制御するアルゴリズムが簡単で良い。また、十分、受信感度が大きい時は変化がなくてもよい。
【００１３】
一方、受信感度信号を処理して可変容量手段を制御する制御回路は、直流の制御電圧出力を少なくとも１つ以上備えており、この制御電圧によって可変容量手段を制御することを特徴とする。例えば、可変容量手段に可変容量ダイオードを用いれば、可変容量ダイオードの逆バイアス電圧を制御電圧にすることができる。
【００１４】
上記の示したように、受信感度信号をチューナーから出力し、可変容量手段を制御する制御回路を設けることで、受信感度信号の読み込みと制御電圧の逐次変化を繰り返して、受信周波数帯域、すなわち、受信チャンネルを選択することができる。受信チャンネルと可変容量手段の制御電圧の関係を規定した表（テーブル）を受信回路にあらかじめ埋め込む必要は無い。
【００１５】
さらに、受信感度信号を処理して可変容量手段を制御する制御回路として、マイクロコントローラとＰＷＭ（Pulse Width Modulation）回路と、抵抗素子と容量素子による平滑回路を用いても良い。また、受信感度信号を処理して可変容量手段を制御する制御回路には、Ａ／Ｄ（Analog/Digital）コンバータを用いても良い。
【００１６】
具体的に、マイクロコントローラが実施する制御として、マイクロコントローラが受信感度信号を監視して、受信感度がある一定値以下に低下したとき、可変容量手段を制御する制御電圧を逐次変化させ、受信感度が最大となる制御電圧を一時記憶し、逐次変化終了後、受信感度が最大となる制御電圧に自動設定する方法がある。
【００１７】
また、マイクロコントローラによって、可変容量手段を制御する制御電圧を逐次変化させ、制御電圧の逐次変化に対して、受信感度が増加するなら、制御電圧の逐次変化を同じ方向で継続し、受信感度が減少するなら、制御電圧の逐次変化の方向を逆転させ、これを繰返すことで、受信感度が最大となる制御電圧に自動設定する方法でも良い。
【００１８】
また、マイクロコントローラによって、受信感度に関係した制御信号を監視して、受信感度がある一定値以下に低下したとき、可変容量手段を制御する制御電圧の逐次変化させる変化量を大きくし、受信感度の増加に応じて、制御電圧の逐次変化量小さくしていき、これを繰返すことで、受信感度が最大となる制御電圧に高速に自動設定することもできる。
【００１９】
さらに、受信感度信号を監視して、受信感度を取得した回数の内、受信感度がある一定値以上低下した回数が何回あるか計測し、ある一定回数以上、受信感度が低下した結果が得られた場合のみ、感度可変容量手段を制御する制御電圧の逐次変化させる変化量を大きくし、必要なときだけに可変容量変化の逐次変化を実施する方法もある。
【発明の効果】
【００２０】
本発明によれば、可変容量手段により小型、高感度で共振周波数が制御可能なチューナブルアンテナが実現可能であるため、その共振周波数と同期及び同調可能な受信回路を用いることで、地上波アナログ放送や地上波デジタル放送などの携帯電話と比較し周波数の低い電波を受信可能な携帯無線端末を実現することが可能である。このとき、従来の受信回路で在れば、手がアンテナ内蔵部分に近づくことで、受信感度が劣化してしまうことがあるが、本発明によれば、自動的に、受信感度が最適になるよう自動制御するため、ほとんど受信感度が劣化することがない。
【００２１】
また、本発明によれば、受信回路を構成する部品が大量生産時にある程度ばらついた特性を持っていても、受信回路自身がもつ自動補正機能によって受信感度が最適になるよう受信周波数を調整するので、部品バラツキを考慮する必要が無い。このため、受信回路の歩留まりが高くコストを抑えることが可能になる。
【００２２】
さらに、本発明による他の効果として、マイクロコントローラにより様々な状態でのアンテナのチューナブル動作が可能であるため、例えば折り畳み携帯電話やノートパソコン、ゲーム機等の機器使用時に筐体を開閉したりする動作を伴い、結果としてアンテナ周辺の環境が変化し、アンテナ特性が変化してしまう場合の、受信周波数の補正も可能である。
【発明を実施するための最良の形態】
【００２３】
本発明の技術的骨子は、チューナーから出力される受信感度信号を用いてアンテナの共振周波数を自動制御させることで、受信装置の受信特性を安定化し、大量生産時の歩留まり向上を実現する。
【００２４】
以下、本発明の実施例を、図面を用いて説明する。
【実施例１】
【００２５】
本発明の第１の実施例を図１、図２、図３及び図８を用いて説明する。図１は本発明からなるアンテナモジュール、及び同アンテナモジュールに接続される受信回路における第１の実施例の構成を示す図であり、図２は、本実施例の自動制御アルゴリズムのフローチャートを示す。チューナブルアンテナ１は、受波素子２と、同調回路３で構成されており、その同調回路３は、可変容量ダイオード４、容量５、抵抗６から構成されている。チューナブルアンテナ１には、制御信号入力端子７、及び受信信号出力端子８が設けられている。制御回路９はマイクロコントローラ１０と平滑回路１１から構成されている。マイクロコントローラ１０はＰＷＭ回路、及びＡＤコンバータ、及びメモリを具備し、ＰＷＭ出力端子１２とＡＤコンバータ入力端子１３があり、ＰＷＭ出力端子１２には、平滑回路１１が接続されており、その先にチューナブルアンテナの制御信号入力端子７に接続されている。ＡＤコンバータ入力端子１３には、チューナー１４の受信感度電圧出力端子１５が接続されている。チューナー１４には、受信信号入力端子１６があり、チューナブルアンテナ１の受信信号出力端子８と接続されている。さらに、チューナー１４には、受信するチャンネルを受信回路外部、ここでは、本発明からなるアンテナモジュール、及び同アンテナモジュールを搭載する無線機器のメインコントロールユニット１７から受けるチャンネルデータ入力端子１８を備えている。
【００２６】
本実施例によれば、まず、受信回路外部のメインコントロールユニット１７から受信するチャンネルの情報がチャンネルデータ入力端子１８を通してチューナー１４に入力される。入力されたチャンネルデータに基づいて、チューナー１４がチューナブルアンテナ１から供給される所望のチャンネルの受信信号を復調する。このとき、チューナー１４の受信信号入力端子１６に入力されている受信信号に応じて、受信感度電圧出力端子１５に、受信感度に関連付けられた電圧を出力する。本実施例では、選局したチャンネルの受信電力に比例して大きくなる電圧を出力する。チューナー１４が、受信感度電圧を制御回路９内のマイクロコントローラ１０のＡＤコンバータ入力端子１３に出力すると、その受信感
度電圧をＡＤ変換し、マイクロコントローラ１０内部である一定の処理を開始する。本実施例では、受信感度電圧がある設定値より小さいと判断したとき、マイクロコントローラ１０のＰＷＭ出力端子１２に出力されるＰＷＭ波形を逐次変化させ、平滑回路１１を通して出力される制御電圧を変化させる。これによって同調回路３の制御電圧入力端子７に入力される直流電圧が変化し、可変容量ダイオード４に印加される逆方向電圧が変化することで、その容量値を変化させ、アンテナの共振周波数を変化させる（図３(Ａ)）。逐次、アンテナの共振周波数を変化させ、その都度、チューナブルアンテナ１が出力する受信信号をチューナー１４が復調、受信感度電圧を更新する。受信感度電圧が最大値となるとき（図３(Ｂ)）、マイクロコントローラ１０がそのときの制御電圧を内部メモリに記憶しておき、受信周波数の逐次変化が終了した後（図３(Ｃ)）、受信感度が最大値となる、同内部メモリに記憶されている制御電圧を制御回路９が出力するようマイクロコントローラのＰＷＭ出力を制御する（図３(Ｄ)）。このときの受信感度電圧と制御電圧の時間変化の一例を図３に示す。これらの一連の制御をマイクロコントローラ１０の内蔵フラッシュメモリにプログラムを書き込み、実行させることで、要求される受信周波数の電波を受信することが可能である。
【００２７】
また、受信装置のチューナブルアンテナ１付近を手で触れると、アンテナの共振周波数が一般に変化し、多くの場合、低下する。このとき、チューナブルアンテナ１の受信信号出力端子には、感度が劣化した信号が出力されるため、チューナー１４の受信感度電圧出力端子１５には、手で触れる前より低い電圧が出力される。これをマイクロコントローラ１０のＡＤコンバータ入力端子１３が検知すると、再び最大感度で受信できる制御電圧を決定するべく、同じプログラムが実行される。その結果、手が触れた状態での最適な制御電圧に更新され、受信を継続する。そのため、本発明の受信回路であれば、手がチューナブルアンテナに触れても受信感度の劣化が抑制される。
【００２８】
また、受信するチャンネルが変更された場合も、受信感度電圧が低下するので、同じプログラムが実行されることで、自動的に所望の受信チャンネルの周波数に更新される。これは、受信感度電圧が、チューナー１４が選択・復調しているチャンネルの受信信号のみの受信感度に応じて受信感度電圧を出力するためである。さらに、大量生産時の製造バラツキで各個体の制御電圧が異なっていても、マイクロコントローラ１０のプログラムがその補正を行ってくれるので受信特性に全く影響しない。
【００２９】
図８に従来技術の同調形アンテナを用いる受信装置の構成を示す。図１の本発明の一実施例の構成と異なる点は、制御回路９の代わりにＤＡコンバータ１９を具備し、メインコントロールユニット１７からのチャンネル情報を、該ＤＡコンバータ１９がＤＡコンバーターチャネルデータ入力端子２０より獲得する。該獲得するチャンネル情報は、メインコントロールユニット１７内のメモリにあらかじめ書き込んである、各チャンネルに対応付けしたデジタル情報であり、これをＤＡコンバータ１９でアナログ制御電圧に変換し、チューナブルアンテナ１の制御電圧端子７に供給することである。本従来技術では、チューナブルアンテナ１周辺の環境が変化して、該チューナブルアンテナ１の特性が変化し、結果としてチューナー１４の受信感度が劣化しても、同劣化を補正することが出来ない。一方、図１に示される本発明の一実施例の構成によれば、手の影響、大量生産のバラツキ等、従来、チューナブルアンテナ１の受信感度の劣化を引き起こす要因があったとしても、マイクロコントローラ１０が自動制御することで良好な受信特性を常に実現でき、その結果、高感度な受信回路が実現可能である。
【実施例２】
【００３０】
本発明の第２の実施例を図４、図５を用いて説明する。図４は本発明でマイクロコントローラ１０が実行する自動制御アルゴリズムのフローチャートである。図５は、本発明での制御電圧の時間変化と制御電圧と受信感度電圧の関係を示した図である。本発明では、実施例１と同じ図１の回路構成を用いる。ただし、マイクロコントローラ１０が実行する自動制御のプログラムは、図４に示されたフローチャートに基づくアルゴリズムを実行する。図４に示すように、マイクロコントローラ１０のＡＤコンバータ入力１３にチューナー１４が出力する受信感度電圧を読込み、その後、マイクロコントローラ１０のＰＷＭ出力端子１２が出力するＰＷＭ出力を変化させて、制御信号電圧を変化させ、これにより可変容量ダイオード４に印加する電圧が変化し、共振周波数が変化する。その結果、チューナブルアンテナの受信信号の変化し、チューナー１４が受信する受信信号も変化する。このとき、マイクロコントローラ１０は、更新されたＡＤコンバータ入力端子が読込む受信感度電圧を読込み、その値が増加しているか、または、減少しているかを評価する。もし受信感度電圧が減少しているなら、制御電圧の変化する方向を反転、すなわち、制御電圧が増加していた時は減少に、減少していた時は増加に変更する。これを繰り返すことで、受信感度電圧が最大となる制御電圧がチューナブルアンテナ１の制御電圧入力端子７に加えられるように自動的に制御する。図５で説明すると、図中のようにＡ→Ｂ→Ｃ→Ｄ→Ｅ→Ｆ→Ｇと移動しながら最大受信感度電圧が得られる制御電圧まで変化する。
【００３１】
本発明によると、実施例１に比べて、制御電圧の変化する方向が正負両方で制御するので、最適制御電圧に達するまでの時間が早い。よって、受信感度が劣化しても、高速に受信感度を回復することができ、テレビジョン受信等の時、ストレス無く画像を視聴することが出来る。
【００３２】
また、受信感度電圧が低く、まだ最適制御電圧が小さいときは、制御電圧の変化量を大きくしておき、制御電圧の変化する方向を反転する度に、または、受信感度電圧が大きくなる度に、制御電圧の変化量を小さくしていくことで、さらに高速に最適制御電圧に達することが出来る。
【実施例３】
【００３３】
本発明の第３の実施例を図６、図７を用いて説明する。図６は本発明でマイクロコンローラ１０が実行する自動制御アルゴリズムのフローチャートである。図７は、本発明で
の受信感度電圧の時間変化を示した図である。本発明では、実施例１と同じ図１の回路構成を用いる。ただし、マイクロコントローラ１０が実行する自動制御のプログラムは、図６に示されたフローチャートに基づくアルゴリズムを実行する。図６あるいは図７(ａ)に示すように、マイクロコントローラ１０は、チューナー１４が出力する受信感度電圧をＡＤコンバータ入力１３で読込み、その値が３回中２回以上基準値以上となる場合、制御電圧を変化させることなく、受信感度電圧の監視を継続する。一方、図６、図７(ｂ)に示すように、受信感度電圧が３回中１回以下しか基準値を超えない場合、マイクロコントローラ１０のＰＷＭ出力端子１２が出力するＰＷＭ出力を変化させて、可変容量ダイオード４に印加する電圧を変化させ、共振周波数を変化させ、チューナブルアンテナの最適受信状態を探す制御を開始する。
【００３４】
実施例１、２では、突発的な受信感度電圧の低下に対して、すぐさまマイクロコントローラ１０が反応して、最適制御電圧を探すアルゴリズムを開始する。最適制御電圧を探すアルゴリズムを実行している最中は、一時的な感度低下が避けられない。本発明によると、実施例１、２に比べて、突発的な受信感度電圧の低下に対して、すぐにマイクロコントローラ１０が最適制御電圧を探すアルゴリズムを開始することが無いので、受信感度が劣化する時間が少なく、テレビジョン受信等の時、ストレス無く画像を視聴することが出来る。
【図面の簡単な説明】
【００３５】
【図１】第１の実施例による受信回路の構成
【図２】第１の実施例になる動作を表すフローチャート
【図３】第１の実施例になる動作を表す、制御電圧と受信感度電圧の時間変化
【図４】第２の実施例になる動作を表すフローチャート
【図５】第２の実施例になる動作を表す、制御電圧の時間変化と制御電圧と受信感度    電圧の関係
【図６】第３の実施例になる動作を表すフローチャート
【図７】第３の実施例になる動作を表す、受信感度電圧の時間変化
【図８】従来のチューナブルアンテナとその受信回路の構成
【符号の説明】
【００３６】
１  チューナブルアンテナ
２  受波素子
３  同調回路
４  可変容量ダイオード
５  容量
６  抵抗
７  制御電圧入力端子
８  受信信号出力端子
９  制御回路
１０  マイクロコントローラ
１１  平滑回路
１２  ＰＷＭ出力端子
１３  ＡＤコンバータ入力端子
１４  チューナー
１５  受信感度信号出力端子
１６  受信信号入力端子
１７  メインコントロールユニット
１８  チャンネル情報入力端子
１９  ＤＡコンバータ
２０  ＤＡコンバータチャンネルデータ入力端子
【図１】
0004826794.tif 000002
【図２】
0004826794.tif 000003
【図３】
0004826794.tif 000004
【図４】
0004826794.tif 000005
【図５】
0004826794.tif 000006
【図６】
0004826794.tif 000007
【図７】
0004826794.tif 000008
【図８】
0004826794.tif 000009